(57)【要約】【課題】生活空間から容易にＶＯＣを除去できるマット及びそれを用いた樹脂成形体を提供することを目的とする。【解決手段】  本考案のマットは、所定形状を有し多孔質体で形成された吸音材に揮発性有機化合物と反応する反応薬を固定させたものである。また、本考案の樹脂成形体は、樹脂成形本体３と反応薬を含むマット４とからなる。  マットに含まれている反応薬により揮発性有機物を除去できる。【選択図】図３
0003114294.tif 000002
【実用新案登録請求の範囲】
【請求項１】
所定形状を有し多孔質体で形成された本体部と該本体部の少なくとも一部に固定させた揮発性有機化合物と化学反応する反応薬とからなることを特徴とする揮発性有機化合物固定機能を有するマット。
【請求項２】
型形成された樹脂成形本体と、該樹脂成形本体の裏面に一体的に固定された所定形状を有し多孔質体で形成された本体部及び該本体部の少なくとも一部に固定させた揮発性有機化合物と化学反応する反応薬からなる揮発性有機化合物固定機能を有するマットと、を有することを特徴とする揮発性有機化合物固定機能を有する樹脂成形体。
【請求項３】
請求項１又は２において、前記多孔質体は繊維を集積一体化したものである。
【考案の詳細な説明】
【技術分野】
【０００１】
本考案は臭気成分等の揮発性有機化合物を除去できるマット及び樹脂成形品に関する。
【背景技術】
【０００２】
塗料、接着剤、プラスチック製品等には、揮発性有機化合物（以下ＶＯＣとする。）が含まれ、前記塗料や接着剤使用後あるいはプラスチック製品の生産後ＶＯＣがしばらくの間発生する。ＶＯＣにはホルムアルデヒド、アセトアルデヒド、トルエン等が含まれていることもあり、生活環境から除去する必要がある。
【０００３】
また、住宅に限らず、自動車においても車室内は密閉された空間であり、車内の使用部品より放出されるＶＯＣが存在することもある。
【０００４】
ＶＯＣの発生は、前記使用直後あるいは生産直後に放出量は多く時間の経過とともに減少していく。ＶＯＣ対策としては換気回数を多くすることが基本であるが、冷暖房のため換気が不充分な場合もある。これまでのＶＯＣ対策として、室内の空気を循環させつつ多孔質炭素材料に接触させる方法、室内空気と人工ゼオライトとの接触により吸着させる方法等がある。またホルムアルデヒドやアセトアルデヒド等のＶＯＣを化学反応により捕集する反応薬も市販されている。
【特許文献１】特開２００４−２９９５３０号公報
【特許文献２】特開２００４−３５８３９９号公報
【特許文献３】特開２００４−３４６２３０号公報
【非特許文献１】揮発性有機化合物との反応薬  グラフトン（株）（東京都港区南青山６−４−９）カタログ
【考案の開示】
【考案が解決しようとする課題】
【０００５】
本考案は生活環空間に使用されかつ生活空間から容易にＶＯＣを除去できるマット及びそれを用いた樹脂成形体を提供することを目的とする。
【課題を解決するための手段、作用、効果】
【０００６】
本考案のマットは、所定形状を有し多孔質体で形成された本体部と該本体部の少なくとも一部に含浸させた揮発性有機化合物と化学反応する反応薬とからなることを特徴とする。
【０００７】
本考案の樹脂成形体は、型形成された樹脂成形本体と、該樹脂成形本体の裏面に一体的に固定された所定形状を有し多孔質体で形成された本体部及び該本体部の少なくとも一部に固定させた揮発性有機化合物と化学反応する反応薬とからなる揮発性有機化合物固定機能を有するマットとを有することを特徴とする。
【０００８】
本考案のマットは本体部と反応薬とからなる。また、本考案の樹脂成形体は樹脂製の成形本体とマットとからなる。
【０００９】
本体部は所定形状を有する多孔質体で形成されている。所定形状とは方形状のシートあるいは少し厚いマット状等の特定の形状を持つ。多孔質体とは、不織布等の繊維を集積しニードルパンチ等で機械的に一体化したものあるいは接着剤等で一体化したもの等の繊維を主要構成材料とするものを挙げることができる。さらには、連通孔を持つ樹脂あるいは無機質の発泡体を挙げることができる。
【００１０】
反応薬としては、揮発性有機化合物と反応する酸性基やアミノ基などの官能基をもつ有機材料が使用できる。係る反応薬としては従来より使用されている公知の反応薬を用いることができる。
【００１１】
樹脂成形本体とは、型内で樹脂を成形した、熱可塑性樹脂成形体、熱硬化性樹脂成形体をいう。熱硬化性樹脂成形体は加熱硬化時にホルムアルデヒド、アルコール等を分離するものもあり揮発性有機化合物の発生原因となるものもある。この樹脂成形本体は、家庭の内装品とか車の内装部品等多くの樹脂成形品が含まれる。本考案の樹脂成形体はこの樹脂成形本体の裏面等の一部にマットを一体的に固定することにより得ることができる。
【００１２】
本考案のマットは多孔質体の本体部の少なくとも一部に反応薬を固定したものである。多孔質体は多数の孔を持つために単位容積あたりの比表面積が高い。このため空気中に含まれるＶＯＣが多孔質体の表面に衝突吸収される可能性が高い。この多孔質体の表面に固定されている反応薬はＶＯＣと反応し、ＶＯＣを固定又は分解し、空気中よりＶＯＣを効率的に除去する事ができる。本体部に反応薬を固定する方法としては、反応薬を溶剤に溶かし、スプレー等で吹き付けるとか、反応薬を溶かした溶剤中に本体部を浸す等で固定することができる。
【００１３】
なお、本体部はシートとも言える薄いシート状のものでも良い。
【００１４】
本考案のマットははさみ等で任意の大きさに切り取ることもできる。このため食器棚等の扉の裏に好みの大きさに切り取った本考案のマットを、例えば、両面接合テープ等で張り付けることにより、食器棚から出るアミン等の臭気成分を容易に除去することができる。
【００１５】
本考案の樹脂成形体は前記したマットを保持しているこのため樹脂成形体を構成する樹脂成形本体そのものがＶＯＣの発生原因になっている場合でも、発生したＶＯＣを容易にマットが補足できるために空気中に漏れ出るＶＯＣを最小とすることができる。樹脂成形体にマットを固定する方法は、接着剤等で接着する方法、超音波溶着等のように樹脂の熱溶着を利用して溶着固定する方法等を採用することができる。
【考案を実施するための最良の形態】
【００１６】
（実施例１）
実施例１のマットの斜視図を図１に示す。このマットは長方形状の不織布シートを本体部とし、この本体部にグラフトン株式会社製のスプレータイプのグラフトン消臭剤を吹き付けて反応薬としたものである。
【００１７】
（実施例２）
本実施例２のマットを図２に示す。このマットはポリプロピレン短繊維とポリエチレンテレフタレート短繊維を混紡し熱でセットした繊維集積体からなる吸音断熱層１に実施例１のグラフトン消臭剤を含む不織布シート２を積層一体化して形成したものである。
【００１８】
柔らかいポリプロピレン短繊維と硬いポリエチレンテレフタレート短繊維を混紡し、熱で形状を固定することにより繊維集積体の繊維の隙間に無数の空間が形成され出断熱性を高めると共に音による空気の振動を繊維同士の摩擦で振動エネルギーを吸収して吸音性の高いものとなっている。ＶＯＣ等の成分は不織布シートに付着させたグラフトン消臭剤からなる反応薬により除去される。
【００１９】
（実施例３）
本実施例の樹脂成形品の斜視図を図３に示す。この樹脂成形品は、熱硬化性樹脂を型成形した樹脂成形本体３とこの樹脂成形本体３の裏面に実施例２のマット４をホットメルト接着剤で一体的に接着したものである。なお、マット４はポリプロピレン短繊維とポリエチレンテレフタレート短繊維を混紡し熱でセットした繊維集積体からなる吸音断熱層１にグラフトン消臭剤を含む不織布シート２を積層一体化して形成したものである。
【００２０】
この樹脂成形品は、その周囲の空気に含まれるＶＯＣを除去するばかりでなく樹脂成形本体３より発生するＶＯＣも除去することができる。
【００２１】
本実施例の樹脂成形品から発生する揮発成分の測定結果を表１に示す。なお、参考までに反応薬を含まない（実施例３のマットの接合されていない）樹脂成形本体のみから発生する揮発成分の定量結果を表１に示す。表１で試料１は樹脂成形本体のみからなる結果、試料２は本実施例３の樹脂成形品の結果である。なお、この試験はＳＥＳ  Ｓ２４０３準拠のバック法による自動車部材の拡散試験である。試験片としては１０ｃｍＸ１０ｃｍのものを１個用いた。
【００２２】
【表１】
0003114294.tif 000003
【００２３】
（表中、ＮＤは定量下限未満のものを示す。）
表１より明らかなように、反応薬をもつ本実施例の樹脂成形品は揮発成分が極めて少ない。これにより、通常の型成形しただけの熱硬化性樹脂成形品に反応薬を含むマットを取り付けることにより熱硬化性樹脂成形品より揮発する成分を効果的に除去できることが明らかである。
【図面の簡単な説明】
【００２４】
【図１】実施例１のマットの斜視図である。
【図２】実施例２のマットの斜視図である。
【図３】実施例３の樹脂成形品の斜視図である。
【符号の説明】
【００２５】
１：吸音断熱層      ２：反応薬をもつ不織布シート
３：樹脂成形本体    ４：マット
【図１】
0003114294.tif 000004
【図２】
0003114294.tif 000005
【図３】
0003114294.tif 000006